(57)【要約】【課題】筐体の高さ方向に沿って引出し可能に収納する両ユニットが同時に前方に移動するのを防止するユニットロック装置を提供する。【解決手段】筐体２側に回動可能に取付けられビルバリ３とコインメック４の引出し方向への移動を規制するロック板１１と、ロック板１１下部側が下側のコインメック４の移動規制位置にあるときに、上側のビルバリ４の引出し操作に連携してロック板１１上部側を係止してロック板１１の回動を規制する第１の回動規制部材１２と、コインメック４の引出し操作に連携してロック板１１上部をビルバリ４の移動規制位置まで回動させると共に、ロック板１１下部を係止してロック板１１の回動を規制する第２の回動規制部材１３と、を備えて構成することにより、筐体２に段差を設けて引出し可能に収納したビルバリ３とコインメック４が同時に前方へ移動することを阻止する。【選択図】図２
2013114349.tif 000002
【特許請求の範囲】
【請求項１】
筐体内に、当該筐体の高さ方向に沿って少なくとも２つのユニットを引出し可能に収納し、一方を引出したときに、他方を前記筐体内の収納位置にロックする筐体内のユニットロック装置であって、
前記筐体側に回動可能に取付けられ前記各ユニットの引出し方向への移動を規制するロック板と、
ロック板の回動軸を境にして一方側が下側ユニット移動規制位置にあるときに、上側ユニットの引出し操作に連携してロック板の他方側を係止してロック板の回動を規制する第１の回動規制部材と、
下側ユニットの引出し操作に連携して前記ロック板の前記他方側を上側ユニット移動規制位置まで回動させると共に、ロック板の前記一方側を係止してロック板の回動を規制する第２の回動規制部材と、
を備える構成したことを特徴とする筐体内のユニットロック装置。
【請求項２】
前記ロック板が、その中央部で回動可能に軸支され、前記他方側に上側ユニット方向に突出する突出部を有し、
前記第１の回動規制部材が、上側ユニット側に固定され、当該上側ユニットの固定面から突出してユニット前後方向に延びる突出部と、前記ロック板の前記突出部を係止可能な係止部と、を有して構成され、
前記第２の回動規制部材が、下側ユニット側に固定され、当該下側ユニットの固定面から突出してユニット前後方向に延びる突出辺を有して構成され、
両ユニットが収納位置のとき、ロック板の前記一方側が第２の回動規制部材の突出辺前端部を係止可能な位置にあり、上側ユニットを引出し操作したとき、上側ユニットと一体に前記第１の回動規制部材の突出部が移動し、該突出部上面で前記ロック板の突出部を係止してロック板の回動を規制し、
下側ユニットを引出し操作したとき、前記第２の回動規制部材の突出辺前端でロック板の前記一方側を押圧してロック板を回動してロック板の前記他方側の突出部を前記第１の回動規制部材の前記係止部に係止させると共に、前記第２の回動規制部材の前記突出辺でロック板の前記一方側を係止してロック板の回動を規制する構成である請求項１に記載の筐体内のユニットロック装置。
【請求項３】
前記第１の回動規制部材の前記突出部の突出側端部を、ロック板側の突出部の突出方向に対して交差するように折曲して形成し、この折曲部を前記係止部とし、下側ユニットの引出し操作により前記ロック板が回動したときに、前記折曲部前端部にロック板の突出部が係止する構成である請求項２に記載の筐体内のユニットロック装置。
【請求項４】
上側ユニットの側方側に、段差を設けて下側ユニットを配置し、前記ロック板を下側ユニット上方の段差空間に配置し、前記第１の回動規制部材を上側ユニット側面に固定し、前記第２の回動規制部材を下側ユニット上面に固定する構成とした請求項１〜３のいずれか１つに記載の筐体内のユニットロック装置。
【請求項５】
前記２つのユニットが、券売機の筐体内に収納された紙幣処理ユニットと硬貨処理ユニットである請求項１〜４のいずれか１つに記載の筐体内のユニットロック装置。
【発明の詳細な説明】
【技術分野】
【０００１】
本発明は、筐体内に引出し可能に収納する２つのユニットの一方を引出したときに、他方を前記筐体内の収納位置にロックする筐体内のユニットロック装置に関し、特に、２つのユニットを筐体の高さ方向に沿って収納する場合に好適なユニットロック装置に関する。
【背景技術】
【０００２】
この種のロック装置として、例えば、特許文献１に記載されているような自動販売機の引出し式商品ラックのロック装置がある。特許文献１に記載されたロック装置は、筐体としてのキャビネット内上部に、１つのユニットである引出し式商品ラックを横方向に並べて複数配置した自動販売機において、隣合う商品ラックの前面側に両端が張出すように配置した揺動可能なＴ字型のインターロック片と、各インターロック片を連動させる連結部材と、を備えて構成される。かかるロック装置では、１つの商品ラックを引出したとき、商品ラックの引出し操作に従動してインターロック片が回動し、その回動位置に拘束され、他の各インターロック片も連結部材により連動して回動してその回動位置に拘束され、他の商品ラックの引出し方向への移動を拘束する。即ち、かかるロック装置は、複数の商品ラックが同時引出し方向に移動することを規制する構成である。このようなロック装置を設けることにより、複数の商品ラックが同時に前方に引出された場合に自動販売機の重心が前方へ移動して自動販売機が転倒する危険を防止している。
【先行技術文献】
【特許文献】
【０００３】
【特許文献１】特開平８−１６７０６９号公報
【発明の概要】
【発明が解決しようとする課題】
【０００４】
ところで、例えば、券売機等には、硬貨処理機（以下、コインメックとする）と紙幣処理機（以下、ビルバリとする）の２つの処理ユニットを、筐体内に、筐体の高さ方向に沿って配置して引出し可能に収納する構成のものがある。このような券売機でも、コインメックとビルバリを同時に前方に引出した場合には、券売機が転倒する虞れがあり、コインメックとビルバリの同時引出しを防止するロック装置が必要である。しかしながら、特許文献１に記載された従来のロック装置は、複数のユニットが横方向に並んで収納されている場合には適用できるが、２つの処理ユニットが筐体の高さ方向に沿って配置して収納されている場合には適用することができない。
【０００５】
本発明は上記問題点に着目してなされたもので、筐体の高さ方向に沿って配置して収納するユニットの同時引出しを防止する筐体内のユニットロック装置を提供することを目的とする。
【課題を解決するための手段】
【０００６】
このため、本発明は、筐体内に、当該筐体の高さ方向に沿って少なくとも２つのユニットを引出し可能に収納し、一方を引出したときに、他方を前記筐体内の収納位置にロックする筐体内のユニットロック装置であって、前記筐体側に回動可能に取付けられ前記各ユニットの引出し方向への移動を規制するロック板と、ロック板の回動軸を境にして一方側が下側ユニット移動規制位置にあるときに、上側ユニットの引出し操作に連携してロック板の他方側を係止してロック板の回動を規制する第１の回動規制部材と、下側ユニットの引出し操作に連携して前記ロック板の前記一方側を上側ユニット移動規制位置まで回動させると共に、ロック板の前記他方側を係止してロック板の回動を規制する第２の回動規制部材と、を備える構成したことを特徴とする。
【０００７】
かかる構成では、２つのユニットが共に筐体内の収納位置にあるときに、ロック板の回動軸を境にして一方側が下側ユニット移動規制位置にある。この状態で、上側ユニットを筐体から引出すと、その引出し操作に連携して第１の回動規制部材がロック板の他方側を係止してロック板の回動を規制する。これによって、下側ユニットの引出し方向への移動をロック板の一方側で規制する。また、下側ユニットを筐体から引出すと、その引出し操作に連携してロック板の他方側が上側ユニット移動規制位置まで回動すると共に、第２の回動規制部材がロック板の一方側を係止してロック板の回動を規制する。これによって、上側ユニットの引出し方向への移動をロック板の他方側で規制する。
【発明の効果】
【０００８】
本発明によれば、筐体内に筐体の高さ方向に沿って配置して収納した２つのユニットが同時に引出し方向に移動するのを防止することができる。従って、例えば、筐体内に高さ方向に沿って紙幣用と硬貨用の２つの処理ユニットを収納する券売機等に適用して、２つの処理ユニットの前方への同時移動による転倒を防止することができる。
【図面の簡単な説明】
【０００９】
【図１】本発明に係るユニットロック装置の一実施形態を適用した券売機の前面パネルを取外した状態の全体概略図である。
【図２】ビルバリ側を前方へ引出した状態を示す図である。
【図３】コインメック側を前方へ引出した状態を示す図である。
【図４】ロック板を示す図である。
【図５】ビルバリとコインメックが収納位置にあるときのロック板の状態を示す図である。
【図６】ビルバリを前方へ引出したときのロック板の状態を示す図である。
【図７】コインメックを前方へ引出したときのロック板の状態を示す図である。
【図８】同上実施形態の要部の概略図である。
【図９】本発明の別の構成例を示す要部の概略図である。
【図１０】本発明の更に別の構成例を示す要部の概略図である。
【図１１】本発明の更に別の構成例を示す要部の概略図である。
【発明を実施するための形態】
【００１０】
以下、本発明の実施形態を図面に基づいて説明する。
本発明は、筐体内にその高さ方向に沿って配置して引出し可能に収納する少なくとも２つのユニットの一方を引出したときに、他方を筐体内の収納位置にロックする筐体内のユニットロック装置に関するもので、以下では、本発明に係るユニットロック装置を、ビルバリとコインメックとを筐体内の高さ方向に段差を設けて収納する券売機に適用した場合について説明する。尚、本発明において、ユニットとは、いくつかの部品等を組立て或いは組み合わせて使用し、筐体内に引出し可能に収納される装置等である。
【００１１】
図１は、本発明に係るユニットロック装置の一実施形態を適用した券売機の前面パネルを取外した状態の全体概略図を示す。
図１において、券売機１は、高さ方向に長い縦長の筐体２に、前面に紙幣挿入口３Ａ等を備えた紙幣処理ユニットであるビルバリ３と前面に硬貨投入口４Ａや釣銭返却口４Ｂ等を備えた硬貨処理ユニットであるコインメック４との２つ金銭処理ユニットが、操作性を考慮してビルバリ３の紙幣挿入口３Ａとコインメック４の硬貨投入口４Ａとが略同じ高さになるよう、筐体２の高さ方向に段差を設けて収納されている。
【００１２】
前記ビルバリ３は、例えば、筐体２の天井板に取付けた固定ガイドレール（図示せず）に、ビルバリ３側に取付けた可動ガイドレール５を介して支持され、固定ガイドレールに沿って可動ガイドレール５がスライドすることによって、図２に示すように前方へ引出せるようになっている。
【００１３】
前記コインメック４は、ビルバリ３の側方においてビルバリ３より下がった位置に、筐体２の側板に取付けた上下２つの固定ガイドレール６Ａ，６Ｂ（図３に示す）に、それぞれ中間可動ガイドレール７Ａ，７Ｂとコインメック４側に取付けた可動ガイドレール８Ａ，８Ｂを介して支持されている。中間可動ガイドレール７Ａ，７Ｂは、固定ガイドレール６Ａ，６Ｂに対してスライド可能に支持され、可動ガイドレール８Ａ，８Ｂは、中間可動ガイドレール７Ａ，７Ｂに対してスライド可能に支持されている。従って、コインメック４は、固定ガイドレール６Ａ，６Ｂに沿って中間可動ガイドレール７Ａ，７Ｂがスライドし、更に、中間可動ガイドレール７Ａ，７Ｂに沿って可動ガイドレール８Ａ，８Ｂがスライドすることにより、図３に示すように前方へ引出せるようになっている。そして、これらビルバリ３とコインメック４は、一方を前方へ引出したときに後述するロック装置によって他方が前方引出し方向への移動が規制されて筐体１内の収納位置にロックされるようになっている。ここで、ビルバリ３が上側ユニットに相当し、コインメック４が下側ユニットに相当する。
【００１４】
前記ロック装置は、ビルバリ３とコインメック４との段差空間、即ち、ビルバリ４側方でコインメック４上方の筐体１内空間に配置されたロック板１１（図４参照）と、上側ユニットであるビルバリ３の引出し操作に連携してロック板１１上部側を係止してロック板１１の回動を規制する第１の回動規制部材１２（図２及び図３参照）と、下側ユニットであるコインメック４の引出し操作に連携してロック板１１下部側を係止してロック板１１の回動を規制する第２の回動規制部材１３（図２及び図３参照）と、を備えて構成されている。ここで、ロック板１１の後述する回動軸１６に対して一方側とは、ロック板１１の下部側が相当し、他方側とはロック板１１の上部側が相当している。
【００１５】
前記ロック板１１は、図４に示すように、例えばコ字状で、その上端部にビルバリ３側面方向に突出する突出部として棒状突出部材１４が取付けられ、その中央部が、コ字状に折曲形成された支持ブラケット１５に軸支された回動軸１６を介して回動可能な構成である。支持ブラケット１５には、ロック板１１取付け側端部に切欠部が設けられ、この切欠部に入り込むようにしてロック板１１が取付けられている。そして、前記支持ブラケット１５を、筐体１側板に取付けた略コ字状に折曲形成された固定ブラケット１７（図２及び図３参照）に取付けることによって、筐体１側に回動可能に取付けてられている。
【００１６】
前記第１の回動規制部材１２は、ビルバリ３側面に、その前後方向に延びるように取付けられ、その下部がビルバリ３側面外方側に突出するように略コ字状に折曲されている。この折曲部１２ａは、ビルバリ３を引出したときにロック板１１側の棒状突出部材１４と干渉しないようその上面（図５〜図７参照）が前記棒状突出部材１４下端より若干低い位置となるよう形成され、ビルバリ３を引出し操作したとき、ビルバリ３と一体に移動し、ロック板１１が回動動作したときに、折曲部１２ａ上面で棒状突出部材１４を係止してロック板１１の回動を規制する構成である。また、第１の回動規制部材１２は、その前端位置（折曲部前端位置でもある）がロック板１１より後方側になるよう取付けられ、コインメック４の引出し操作に連携してロック板１１が回動したときに、ロック板１１側の棒状突出部材１４が折曲部前端部（図５及び図７参照）に当接し、この前端部でロック板１１上部側を係止する構成である。ここで、前記折曲部１２ａの上面と前端部が、第１の回動規制部材１２の突出部と係止部に相当する。
【００１７】
前記第２の回動規制部材１３は、コインメック４上面に、その前後方向に延びるように取付けられ、コインメック４上方側に突出する突出片１３ａを有して構成されている。第２の回動規制部材１３は、その前端位置（突出片前端位置でもある）が、ビルバリ３とコインメック４の収納時にロック板１１下端部が当接可能なように取付けられ、コインメック４の引出し操作に連携して前記前端部でロック板１１下端部を押圧してロック板１１を回動すると共に、突出片１３ａ上端部がロック板１１下端部を係止してロック板１１の回動を規制する構成である。
【００１８】
次に、図５〜図７を参照しながら本実施形態のロック装置の動作について説明する。
図５は、ビルバリ３とコインメック４が共に、筐体２内の収納位置にあるときのロック板１１の状態を示す。図５のように、ビルバリ３とコインメック４が筐体２内の収納位置にあるときロック板１１はコインメック４の移動規制位置である鉛直状態であり、ロック板１１の棒状突出部材１４は、ビルバリ３側面の第１の回動規制部材１２の折曲部１２ａ前端部と離間状態にある。ロック板１１のコインメック４の移動規制位置では、ロック板１１下端部と第２の回動規制部材１３の突出片１３ａ前端部とは、本実施形態では当接しているものとして説明するが、当接していなくともよく、コインメック４の前方への引出し操作に連携して第２の回動規制部材１３の突出片１３ａ前端部がロック板１１下端部に当接してロック板１１を回動できる構成であればよい。
【００１９】
図５の状態から、例えばビルバリ３を前方へ引出し操作すると、第１の回動規制部材１２の折曲部１２ａ上面がロック板１１側の棒状突出部材１４より若干低い位置にあるので、第１の回動規制部材１２の折曲部１２ａがロック板１１側の棒状突出部材１４に当たることはなく、ビルバリ３と一体に第１の回動規制部材１２も前方へ移動し、図６に示すように、第１の回動規制部材１２の折曲部１２ａ上面上にロック板１１側の棒状突出部材１４が位置した状態となる。このため、第２の回動規制部材１３の突出片１３ａ前端からロック板１１下端部に押圧力が作用しても、第１の回動規制部材１２の折曲部１２ａ上面によりロック板１１の棒状突出部材１４が係止され、ロック板１１の回動が規制される。その結果、コインメック４の前方への移動が阻止される。
【００２０】
一方、図５の状態から、コインメック４を前方へ引出し操作すると、第２の回動規制部材１３の突出片１３ａ前端部でロック板１１下端部が押され、図７に示すように、ロック板１１がビルバリ３の移動規制位置まで回動してロック板１１下端部が突出片１３ａ上端部に乗り上げた状態となり、コインメック４は前方へ引出すことができる。また、ロック板１１がビルバリ３の移動規制位置まで回動した状態では、ロック板１１下端部が突出片１３ａ上端部に乗り上げた状態において、ロック板１１上端部の棒状突出部材１４が第１の回動規制部材１２の折曲部１２前端部と当たり係止される。図７の状態において、第１の回動規制部材１２の折曲部１２ａ前端からロック板１１の棒状突出部材１４に対して押圧力が作用しても、第２の回動規制部材１２の突出片１３ａ上面によりロック板１１下端部が係止されているために、ロック板１１の回動が規制される。従って、ビルバリ３の前方への移動が阻止される。
【００２１】
かかる本実施形態のユニットロック装置によれば、券売機１内にその高さ方向に段差を設けて収納したビルバリ３とコインメック４が同時に引出し方向に移動するのを防止することができる。従って、ビルバリ３とコインメック４が同時に前方へ移動して、券売機の前方側への重心移動により、券売機１が転倒してしまうような危険を回避ができる。
【００２２】
上記実施形態では、上側ユニット（実施形態ではビルバリ３）の側方に、段差を設けて下側ユニット（実施形態ではコインメック４）を配置して収納する場合に適用した本発明のユニットロック装置の構成例を示したが、２つのユニットを筐体の高さ方向に沿って上下に配置する構成にも適用できることは言うまでもない。
図１の実施形態におけるビルバリ３、コインメック４、ロック板１１、第１の回動規制部材１２及び第２の回動規制部材１３の配置関係の概略を示すと図８である。２つのユニットを筐体の高さ方向に沿って上下に配置する構成に適用する場合、例えば、図９〜図１１のような構成が考えられる。
【００２３】
図９では、ロック板１１を、ビルバリ３（上側ユニット）とコインメック４（下側ユニット）との間に、水平な回動軸１６回りに回動するよう配置し、ビルバリ３（上側ユニット）の下面に第１の回動規制部材１２を固定し、コインメック４（下側ユニット）の上面に第２の回動規制部材１３を固定する構成である。
【００２４】
図１０では、ロック板１１を、ビルバリ３（上側ユニット）とコインメック４（下側ユニット）の同じ側面側に、水平な回動軸１６回りに回動するよう配置し、ビルバリ３（上側ユニット）の側面下部に第１の回動規制部材１２を固定し、ビルバリ３と同じ側のコインメック４（下側ユニット）の側面上部に第２の回動規制部材１３を固定する構成である。
【００２５】
図１１では、ロック板１１を、ビルバリ３（上側ユニット）とコインメック４（下側ユニット）との間に、垂直な回動軸１６回りに回動するよう配置し、ビルバリ３（上側ユニット）の下面に第１の回動規制部材１２を固定し、第１の回動規制部材１２の取付け位置と対角方向のコインメック４（下側ユニット）上面に第２の回動規制部材１３を固定する構成である。尚、図１１の構成において、上側ユニットと下側ユニットが図の左右方向にずれている場合には、上側ユニットの側面下部に第１の回動規制部材１２を固定し、上側ユニットの第１の回動規制部材１２固定面と向かい合う側の下側ユニット側面上部に第２の回動規制部材１３を固定する構成とすればよい。
【００２６】
尚、本実施形態では、本発明のユニットロック装置を、段差を設けてビルバリとコインメックを収納した券売機に適用したが、これに限るものではなく、筐体内に段差を設けて引出し可能にユニットを収納するものであれば、例えば自動販売機等、どのようなものでもよいことは言うまでもない。
【符号の説明】
【００２７】
１    券売機
２    筐体
３    ビルバリ
４    コインメック
１１    ロック板
１２    第１の回動規制部材
１２ａ    折曲部
１３    第２の回動規制部材
１３ａ    突出片
１４    棒状突出部材
【図１】
2013114349.tif 000003
【図２】
2013114349.tif 000004
【図３】
2013114349.tif 000005
【図４】
2013114349.tif 000006
【図５】
2013114349.tif 000007
【図６】
2013114349.tif 000008
【図７】
2013114349.tif 000009
【図８】
2013114349.tif 000010
【図９】
2013114349.tif 000011
【図１０】
2013114349.tif 000012
【図１１】
2013114349.tif 000013